(57)【要約】【課題】対物レンズアクチュエータの薄型化を図りながら、対物レンズアクチュエータに対するカバーの固定強度を充分に確保することができる光ピックアップの対物レンズアクチュエータを得る。【解決手段】ベース１０と、対物レンズアセンブリ２と、ベースのアクチュエータカバー取り付け部に固着されたアクチュエータカバー１１を備え、アクチュエータカバー１１は、両端部において折り曲げによるフック部１１１，１１２を有し、ベース１０は、アクチュエータカバーのフック部が圧接することによりアクチュエータカバーを係止することができる係合突起１０６，１０９を有しかつアクチュエータカバーの本体部分とフック部のなす角部に対応する部分に接着剤溜り１０７，１０８が形成され、ベースとアクチュエータカバーは、ベースの接着剤溜りに接着剤が塗布されることによって接着されている。【選択図】図１
2010102763.tif 000002
【特許請求の範囲】
【請求項１】
駆動マグネットが固定されるとともにアクチュエータカバー取り付け部が形成されているアクチュエータベースと、
対物レンズ、この対物レンズを保持したレンズホルダ、このレンズホルダに固着されている駆動コイルを有する対物レンズアセンブリと、
アクチュエータベースの上記アクチュエータカバー取り付け部に固着されたアクチュエータカバーと、を備え、
上記アクチュエータカバーは、両端部において直角方向への折り曲げによるフック部を有し、
上記アクチュエータベースは、上記アクチュエータカバーのフック部が圧接することによりアクチュエータカバーを係止することができる係合突起を有するとともに上記アクチュエータカバーの本体部分と上記フック部のなす角部に対応する部分が窪んで接着剤溜りが形成されており、
上記アクチュエータベースとアクチュエータカバーは、アクチュエータベースの上記接着剤溜りに接着剤が塗布されることによって接着されている光ピックアップの対物レンズアクチュエータ。
【請求項２】
アクチュエータカバーは、その本体部分とフック部にまたがる窓孔を有し、この窓孔からアクチュエータベースの接着剤溜りが露呈している請求項１記載の光ピックアップの対物レンズアクチュエータ。
【請求項３】
アクチュエータカバーのフック部には係合孔が形成され、アクチュエータベースには、上記係合孔の縁を係止する係合突起が形成されている請求項１記載の光ピックアップの対物レンズアクチュエータ。
【請求項４】
アクチュエータカバーは、対物レンズアセンブリを囲む枠型に形成されて対物レンズアセンブリをガードしている請求項１記載の光ピックアップの対物レンズアクチュエータ。
【請求項５】
アクチュエータベースの接着剤溜りの開口面積よりも、上記接着剤溜りに対向するアクチュエータカバーの窓孔の面積が小さい請求項２記載の光ピックアップの対物レンズアクチュエータ。
【請求項６】
駆動マグネットが固定されるとともにアクチュエータカバー取り付け部が形成されているアクチュエータベースと、
対物レンズ、この対物レンズを保持したレンズホルダ、このレンズホルダに固着されている駆動コイルを有する対物レンズアセンブリと、
アクチュエータベースの上記アクチュエータカバー取り付け部に固着されたアクチュエータカバーと、を備え、
上記アクチュエータカバーは、両端部において直角方向への折り曲げによるフック部を有し、
上記アクチュエータベースは、上記アクチュエータカバーのフック部が圧接することによりアクチュエータカバーを係止することができる係合突起を有するとともに上記アクチュエータカバーの本体部分と上記フック部のなす角部に対応する部分が面取りされることによって形成された接着剤溜りを有し、
上記アクチュエータベースとアクチュエータカバーは、アクチュエータベースの上記接着剤溜りに接着剤が塗布されることによって接着されている光ピックアップの対物レンズアクチュエータ。
【発明の詳細な説明】
【技術分野】
【０００１】
本発明は、光ピックアップの対物レンズアクチュエータに関するもので、特にアクチュエータカバーの固定構造に関するものである。
【背景技術】
【０００２】
光ピックアップは、ＣＤ（コンパクトディスク）、ＤＶＤ（デジタル多用途ディスク）などの光ディスクを記録媒体とする記録再生装置の信号変換素子として用いられる。光ピックアップは、大きく分けて、対物レンズアセンブリと、アクチュエータベースと、このアクチュエータベースに組み込まれた対物レンズアクチュエータからなる。対物レンズアセンブリは、アクチュエータベース（以下、単に「ベース」という）から延びたサスペンションワイヤによって支持されている。対物レンズアセンブリは、対物レンズと、この対物レンズを保持するレンズホルダと、このレンズホルダに固着されたフォーカシングコイルおよびトラッキングコイルを主たる構成部材として有している。上記ベースに組み込まれている対物レンズアクチュエータは、上記各コイルに対向させて上記支持体に固定されたフォーカシング磁石およびトラッキング磁石を有してなる。上記サスペンションワイヤは複数本が平行に配置されて対物レンズアセンブリを支持体に対し片持ち的に支持し、フォーカシングコイルとフォーカシング磁石との間に生じる推力で対物レンズアセンブリの光軸方向への平行移動を許容し、トラッキングコイルとトラッキング磁石との間に生じる推力で対物レンズアセンブリのトラッキング方向への平行移動を許容する。
【０００３】
光ピックアップには、光ピックアップ全体、特に対物レンズアクチュエータを外力から保護するためにアクチュエータカバーが取り付けられている。アクチュエータカバーは、対物レンズアクチュエータまたは上記ベースに取り付けられ、振動や衝撃力が加わったときに脱落しないように接着されている。パーソナルコンピュータに組み込まれる光ディスク駆動装置は薄型になっていて、この光ディスク駆動装置に組み込まれる光ピックアップの対物レンズアクチュエータも薄型になっている。このような薄型の対物レンズアクチュエータにカバーを取り付けることは構造的に難しいため、上記ベースにカバーを取り付ける場合が多い。
【０００４】
対物レンズアクチュエータにカバーを取り付ける場合、上記カバーは可動体以外の部分に取り付け、接着によって固着する必要がある。また、対物レンズアクチュエータは体格が小さいため、これにカバーを取り付けるためのフックの類を設けることは難しい。仮に、フック形状を設けることができたとしても充分な取り付け強度を確保することは難しく、補強のために接着剤を塗布しようとすると、塗布箇所をどこに確保するかが問題になる。
【０００５】
本発明に関連のある先行技術として、特許文献１に記載されているように、ベースから起立したヨークの上方および側方を覆うアクチュエータカバーを有し、このアクチュエータカバーは、前端部と後端部にそれぞれダボと係合爪を有し、ヨークは前端部と後端部に段部とダボを有し、アクチュエータカバーとヨークのダボと係合爪、段部とダボをそれぞれ係合させてアクチュエータカバーをベースに取り付けた二軸アクチュエータがある。
【０００６】
特許文献１記載の発明は、アクチュエータカバーをヨークに対してガタツキなく正確に位置決めし、かつ確実に固定することを目的としている。しかし、上記固定構造からわかるとおり、ダボと係合爪の係合によってカバーを取り付ける構造であるから、必然的に対物レンズアクチュエータの厚さが増大する構成になっていて、薄型の対物レンズアクチュエータを得るためには採用しがたい構造である。
【０００７】
また、特許文献２に記載されているように、上記アクチュエータベースに相当するフレームにカバーを固定した光ピックアップにおいて、カバーにホゾ孔を穿ち、上記ベースに一体に設けた二つの脚部の自由端にホゾを形成して、これらのホゾに上記カバーのホゾ孔を圧入して、カバーをベースに取り付ける構造も知られている。
【０００８】
特許文献２記載の発明の目的は、フレームに対するカバーの取り付け構造を利用して、光ピックアップアクチュエータにおける共振防止を図ることであって、対物レンズアクチュエータの薄型化を目的とするものではなく、特許文献２記載の構造を採用しても、薄型の対物レンズアクチュエータを得ることはできない。
【０００９】
【特許文献１】特開２００６−１９６１７３号公報
【特許文献２】特開２００５−４８８４号公報
【発明の開示】
【発明が解決しようとする課題】
【００１０】
本発明は、上記従来技術の問題点に鑑みて、対物レンズアクチュエータの薄型化を図りながら、対物レンズアクチュエータに対するカバーの固定強度を充分に確保することができる光ピックアップの対物レンズアクチュエータを得ることを目的とする。
【課題を解決するための手段】
【００１１】
本発明は、駆動マグネットが固定されるとともにアクチュエータカバー取り付け部が形成されているアクチュエータベースと、対物レンズ、この対物レンズを保持したレンズホルダ、このレンズホルダに固着されている駆動コイルを有する対物レンズアセンブリと、アクチュエータベースの上記アクチュエータカバー取り付け部に固着されたアクチュエータカバーと、を備え、上記アクチュエータカバーは、両端部において直角方向への折り曲げによるフック部を有し、上記アクチュエータベースは、上記アクチュエータカバーのフック部が圧接することによりアクチュエータカバーを係止することができる係合突起を有するとともに上記アクチュエータカバーの本体部分と上記フック部のなす角部に対応する部分に接着剤溜りが形成されており、上記アクチュエータベースとアクチュエータカバーは、アクチュエータベースの上記接着剤溜りに接着剤が塗布されることによって接着されていることを最も主要な特徴とする。
【発明の効果】
【００１２】
アクチュエータカバーは、両端部において直角方向への折り曲げによって形成されたフック部がアクチュエータベースに形成された係合突起に係合することによりアクチュエータベースに取付けられるとともに、アクチュエータカバーの本体部分と上記フック部のなす角部に対応する部分に形成されている接着剤溜りに接着剤を塗布することにより、より強固にアクチュエータベースに取付けられる。上記フック構造と接着構造は、相互に固着強度を補いながら強い固着力を得ることができるため、光ピックアップの薄型化を図りながらアクチュエータカバーの固着強度を充分に高めることができる。
【発明を実施するための最良の形態】
【００１３】
以下、本発明にかかる光ピックアップの対物レンズアクチュエータの実施例を、図面を参照しながら説明する。
【実施例１】
【００１４】
図１乃至図６は本発明にかかる光ピックアップの対物レンズアクチュエータの第１実施例を示しており、図１、図２は光ピックアップ全体の斜視図、図３、図４はヨークベースと対物レンズアクチュエータ部分の斜視図、図５、図６は対物レンズアクチュエータに対するカバーの正面図および縦断面図である。この光ピックアップは、大きく分けて、ヨークベース（以下、単に「ベース」という）１０を主体とする支持体１と、対物レンズアセンブリ２の部分と、支持体１に対して対物レンズアセンブリ２を移動可能に支持するサスペンションワイヤ３からなる。
【００１５】
支持体１の主体をなすベース１０は、磁性材からなる板を打ち抜き、かつ折り曲げ成形したもので、図３、図４に示すように、上端部と下端部は直角方向の折り曲げ部１０１，１０２となっており、中間部には直角方向の切り起こし部１０３が形成されている。これらの折り曲げ部１０１，１０２と切り起こし部１０３は互いに平行になって対向している。図１、図２において、下端部の折り曲げ部１０２の外側面には、この折り曲げ部１０２を左右から挟み込むようにしてゲルホルダ１２が固定され、ゲルホルダ１２の下面には制御回路基板１４が固定されている。
【００１６】
各ゲルホルダ１２と制御回路基板１４を貫いてサスペンションワイヤ３の基端部が配置されている。各ゲルホルダ１２を３本のサスペンションワイヤ３が貫いていて、各サスペンションワイヤ３の基端部が制御回路基板１４の所定の半田付けランドに半田付けされることにより各サスペンションワイヤ３が図１、図２において平行に立ち上がった姿勢で固定されている。ゲルホルダ１２には緩衝材が充填されていて、外部からの振動を吸収してサスペンションワイヤ３がみだりに振動しないようになっている。制御回路基板１４からはフレキシブル回路基板１５が引き出され、外部回路と接続されるようになっている。図では、対物レンズ光軸が水平方向に向いた姿勢で描かれているが、対物レンズ光軸が垂直方向に向いた姿勢で用いられる場合もあり、その場合、各サスペンションワイヤ３は互いに平行に水平方向に延びることになる。
【００１７】
図３、図４に示すように、ベース１１の上端部の折り曲げ部１０１と中間部の切り起こし部１０３の相対向する面にはそれぞれ磁石１３が固着されている。これらの磁石１３は、後で説明する対物レンズアセンブリ２の上下に配置されたフォーカシングコイル２３およびトラッキングコイル２４とそれぞれ適宜の間隔をおいて対向している。また、これらの磁石１３は、フォーカシングコイル２３との間でフォーカシング方向の推力を発生し、トラッキングコイル２４との間でトラッキング方向の推力を発生するように、所定のパターンで着磁されている。
【００１８】
対物レンズアセンブリ２はレンズホルダ２０をベースとし、このレンズホルダ２０に固着された二つの対物レンズ２１，２２、図示されない４個のフォーカシングコイル、２個のトラッキングコイル、二つの回路基板３０を有してなる。二つの対物レンズ２１，２２は所定の間隔をおいて図において左右方向に並べて配置され、図示されないレーザ光源からのレーザ光束が上記対物レンズ２１，２２の配列方向と平行に導き入れられるようになっている。対物レンズアセンブリ２およびこれを用いた光ピックアップの小型化、薄型化を図るために、上記レーザ光束は対物レンズ２１，２２に近い位置に導かれ、対物レンズ２１，２２に近接してその光軸上に配置されたプリズムによってレーザ光が対物レンズ２１，２２に向かって反射されるようになっている。
【００１９】
上記のようにしてレンズホルダ２０内に導き入れられたレーザ光は上記プリズムによって対物レンズ２１，２２に向かって反射され、対物レンズ２１，２２によって図示されない光ディスクの記録面に集光される。この記録面からの反射光は、対物レンズ２１，２２、上記プリズムの順に戻る。プリズムを透過しまたは反射された光が図示されない光検出器によって検出され、光ディスクに記録されているデータが読み出されるとともに、フォーカシング検出およびトラッキング検出が行われる。
【００２０】
レンズホルダ２０の、図１、図２における上下２辺の外側面には、それぞれ２個のフォーカシングコイルと、この２個のフォーカシングコイルに挟まれて１個のトラッキングコイルが固着されている。したがって、フォーカシングコイルは合計４個、トラッキングコイルは合計２個である。これらのコイルの配列方向は、対物レンズアセンブリ２全体の重量バランスを考慮して、対物レンズ２１，２２の配列方向とほぼ平行になっていて、コイルの配列に対応したパターンで各磁石１３が着磁されている。
【００２１】
前記二つの回路基板３０はレンズホルダ２０の両端面に固着されている。二つの回路基板３０はともに各コイル２３，２４の端末の配線処理と、サスペンションワイヤ３の先端部を固着するためのもので、コイル端末を半田付けするためのランドと、サスペンションワイヤ３を半田付けするためのランドを有している。
【００２２】
各回路基板３０の各ランドにサスペンションワイヤ３の先端部が半田付けされることにより、対物レンズアセンブリ２が前記支持体１を構成するベース１０に支持されている。サスペンションワイヤ３は弾性を有し、合計６本のサスペンションワイヤ３が平行に延びて対物レンズアセンブリ２が片持ち的に支持されている。これにより、対物レンズアセンブリ２は対物レンズ２１，２２の光軸方向すなわちフォーカシング方向および光軸に直交する方向であるトラッキング方向に平行移動することができる。対物レンズアセンブリ２は、サスペンションワイヤ３によって支持された状態で、前記上下の磁石１３間に位置し、上下のフォーカシングコイルおよびトラッキングコイルは、それぞれ上下の磁石１３に対し適宜の間隔をおいて対向している。各コイルは磁石１３によって形成されている磁場内にある。したがって、フォーカシングコイルに制御電流が流されることによりフォーカシング方向の推力が発生して対物レンズアセンブリ２がフォーカシング方向に移動する。トラッキングコイルに制御電流が流されることによりトラッキング方向の推力が発生して対物レンズアセンブリ２がトラッキング方向に移動する。各コイルへの制御電流は、外部の制御回路からサスペンションワイヤ３を介し、さらに回路基板３０の半田付けランド、回路パターンを介して供給される。サスペンションワイヤ３は２本ずつ合計４本であってもよい。
【００２３】
次に、アクチュエータカバー１１の構成とその取り付け構造について説明する。図１、図２、図５、図６に示すように、ベース１０にはアクチュエータカバー１１が取り付けられている。アクチュエータカバー１１は、例えば１枚の金属板を窓枠状に打ち抜き、左右両側縁部が互いに平行面をなすように直角に折り曲げられた形をしている。また、アクチュエータカバー１１は、上下両端部に、直角方向への折り曲げによってフック部が形成され、これらのフック部がベース１０の折り曲げ部１０１と切り起こし部１０３に掛け止められることによってベース１０に取り付けられている。アクチュエータカバー１１の上端部には２つのフック部１１１が、下端部には１つのフック部１１２が形成されている。
【００２４】
図３、図４に示すように、ベース１０の折り曲げ部１０１の外側面には上記フック部１１１の受け入れ部１０４が窪みによって形成され、ベース１０の切り起こし部１０３の外側面には上記フック部１１２の受け入れ部１０５が窪みによって形成されている。アクチュエータカバー１１の各フック部１１１には係合孔１１３（図２参照）が形成され、ベース１０の上記受け入れ部１０４には上記係合孔１１３が係合する係合突起１０６が形成されている。アクチュエータカバー１１のフック部１１２には係合孔１１４が形成され、ベース１０の上記受け入れ部１０５には上記係合孔１１４が係合する係合突起１０９が形成されている。
【００２５】
アクチュエータカバー１１の各フック部１１１とアクチュエータカバー１１本体部分とにまたがって窓孔１１６が形成されている。これらの窓孔１１６に対向して、ベース１０の各受け入れ部１０４と折り曲げ部１０１の前端にまたがり窪みが形成されている。これらの窪みには窓孔１１６から接着剤を注入することができるようになっている。したがって、上記窪みは接着剤溜り１０７を構成している。アクチュエータカバー１１のフック部１１２にもアクチュエータカバー１１本体部分にまたがる窓孔１１７が形成されている。この窓孔１１７に対向して、ベース１０の受け入れ部１０５と切り起こし部１０３の前端にまたがり、窓孔１１７から接着剤を注入することができる接着剤溜り１０８としての窪みが形成されている。換言すれば、上記接着剤溜り１０７，１０８は、アクチュエータカバー１１の上記本体部分とフック部１１１，１１２との間に生じた所定の隙間で形成されていることになる。
【００２６】
図７ないし図９は、アクチュエータカバー１１の下側のフック部１１１、窓孔１１７、係合孔１１４と、ベース１０の切り起こし部１０３、受け入れ部１０５、接着剤溜り１０８の部分を拡大して示す。図９からわかるように、窓孔１１７に対向して、ベース１０の受け入れ部１０５と切り起こし部１０３の前端にまたがり、窓孔１１７から接着剤を注入することができる接着剤溜り１０８がＬ字状に形成されている。上側の接着剤溜り１０７もＬ字状に形成されている。
【００２７】
アクチュエータカバー１１は弾性材からなり、各フック部１１１，１１２がベース１０の各受け入れ部１０４，１０５の各係合突起１０６，１０９を撓みながら乗り越え、弾性復帰することにより各係合孔１１３，１１４が各係合突起１０６，１０９に係合する。各係合突起１０６，１０９は、各係合孔１１３，１１４が係合した状態では各フック部１１１，１１２が脱落しにくい係合形状になっているため、無理なあるいは不自然な力がかからない限り脱落することはない。しかし、無理なあるいは不自然な力がかかると各係合突起１０６，１０９と各係合孔１１３，１１４との係合が外れ、アクチュエータカバー１１がベース１０から脱落することがありえる。そこで、上記窓孔１１６，１１７から上記接着剤溜り１０７，１０８に接着剤を注入し硬化させてアクチュエータカバー１１とベース１０を接着する。各接着剤溜り１０７，１０８の開口面積に対して各窓孔１１６，１１７の開口面積が小さくなっていて、接着面積が確保されている。
【００２８】
このようにしてアクチュエータカバー１１がベース１０に固着された状態で、図１、図２におけるアクチュエータカバー１１の上下２辺が対物レンズアセンブリ２の上下をガードしている。アクチュエータカバー１１の図１、図２における左右両縁部は直角に折り曲げられて対物レンズアセンブリ２の左右両側を挟み込むようにしてガードしている。
【００２９】
以上説明したようなアクチュエータカバー１１の固着構造によれば、ベース１０とアクチュエータカバー１１が、これらのフック構造と接着によって強固に固着される。上記フック構造を構成しているアクチュエータカバー１１側のフック部１１１，１１２は、対物レンズ２１，２２の光軸と平行な方向である。したがって、光ピックアップの薄型化を図るためには、上記フック部１１１，１１２の寸法を小さくせざるを得ず、フック構造だけで必要な機械的強度を得ることは困難である。そこで、フック構造による固着のみでなく、接着構造も併用して充分大きな固着強度を確保している。しかも、上記接着構造は、アクチュエータカバー１１の本体部分およびこの本体部分から直角方向に折り曲げられたフック部１１１，１１２と、これら本体部分およびフック部１１１，１１２に対応してベース１０に形成された接着剤溜り１０７，１０８で形成されている。これら接着剤溜り１０７，１０８は、ベース１０とアクチュエータカバー１１のコーナー部に形成されているため、接着剤の量を充分に確保して充分大きな接着強度を得ることができるとともに、接着剤溜り１０７，１０８の対物レンズ光軸方向への広がりを抑えることができ、光ピックアップの薄型化を図ることができる。
【００３０】
ベース１０とアクチュエータカバー１１はともに金属で形成されて機械的に接触しているため、磁石と各コイルとの間の電磁力で振動音を発生しやすい構造になっているが、接着による固着構造を併用することによって振動音の発生を抑制することができる。接着剤溜り１０７，１０８は前述のようにL字状に形成され、２方向からアクチュエータカバー１１とベース１０を接着するため、大きな接着力を得ることができる。
【実施例２】
【００３１】
次に、図１０ないし図１６に示す光ピックアップの対物レンズアクチュエータの第２実施例について説明する。この第２実施例が前記第１実施例と異なる点は、ベース１０とアクチュエータカバー１１の接着構造、特に接着剤溜りの形状である。図１０ないし図１４に示す第２実施例の大半は第１実施例の構成と同じであるから、同じ構成部分には同じ符号を付している。以下、第１実施例と異なる構成部分を重点的に説明する。
【００３２】
図１０ないし図１６において、アクチュエータカバー１１の上端部には２つのフック部１１１が、下端部には１つのフック部１１２が形成されている。ベース１０の折り曲げ部１０１の外側面には上記フック部１１１の受け入れ部１０４が窪みによって形成され、ベース１０の切り起こし部１０３の外側面には上記フック部１１２の受け入れ部１０５が窪みによって形成されている。アクチュエータカバー１１の各フック部１１１、１１２には係合孔が形成され、ベース１０の上記受け入れ部１０４、１０５には上記係合孔が係合する係合突起１０６、１０９が形成されている。
【００３３】
アクチュエータカバー１１の各フック部１１１とアクチュエータカバー１１本体部分とにまたがって窓孔１１６が形成されている。これらの窓孔１１６に対向して、ベース１０の各受け入れ部１０４と折り曲げ部１０１の前端とがなす角部が面取りされて接着剤溜り１２２が形成されている。換言すれば、アクチュエータカバー１１の本体部分と上記フック部１１１のなす角部に対応するベース１０の角の部分が面取りされることによって接着剤溜り１２２が形成されている。接着剤溜り１２２には窓孔１１６から接着剤を注入することができるようになっている。アクチュエータカバー１１のフック部１１２にもアクチュエータカバー１１本体部分にまたがる窓孔１１７が形成されている。この窓孔１１７に対向して、ベース１０の各受け入れ部１０５と切り起こし部１０３の前端とがなす角部が面取りされて、したがって、アクチュエータカバー１１の本体部分と上記フック部１１２のなす角部に対応するベース１０の角の部分が面取りされることによって接着剤溜り１２０が形成されている。接着剤溜り１２０には窓孔１１７から接着剤を注入することができるようになっている。
【００３４】
接着剤溜り１２２、１２０の横方向への広がり寸法は窓孔１１６，１１７の横幅よりも大きくなっていて、接着剤溜り１２２、１２０に塗布され硬化した接着剤によってベース１０とアクチュエータカバー１１を強固に接着するようになっている。したがって、第２実施例によっても、第１実施例と同様の効果を得ることができる。
【図面の簡単な説明】
【００３５】
【図１】本発明にかかる光ピックアップの対物レンズアクチュエータの第１実施例を示す下斜め方向からの斜視図である。
【図２】上記実施例の上斜め方向からの斜視図である。
【図３】上記実施例中の支持体の部分を示す上斜め方向からの斜視図である。
【図４】上記支持体の部分の下斜め方向からの斜視図である。
【図５】上記実施例中のベースとアクチュエータカバーを示す正面図である。
【図６】上記実施例中のベースとアクチュエータカバーの中央部縦断面図である。
【図７】上記実施例中の係合突起と接着剤溜りの部分の拡大斜視図である。
【図８】上記係合突起と接着剤溜りの部分に対するアクチュエータカバーの係合および接着の様子を示す拡大斜視図である。
【図９】図５におけるＡ−Ａ線に沿う断面図である。
【図１０】本発明にかかる光ピックアップの対物レンズアクチュエータの第２実施例の支持体の部分を示す上斜め方向からの斜視図である。
【図１１】上記支持体の部分の下斜め方向からの斜視図である。
【図１２】上記実施例において支持体にアクチュエータカバーを取付けた状態を示す上斜め方向からの斜視図である。
【図１３】上記実施例において支持体にアクチュエータカバーを取付けた状態を示す下斜め方向からの斜視図である。
【図１４】上記実施例中の係合突起と接着剤溜りの部分の拡大斜視図である。
【図１５】上記係合突起と接着剤溜りの部分に対するアクチュエータカバーの係合および接着の様子を示す拡大斜視図である。
【図１６】上記係合突起と接着剤溜りの部分に対するアクチュエータカバーの係合および接着部分の拡大縦断面図である。
【符号の説明】
【００３６】
１    支持体
２    対物レンズアセンブリ
３    サスペンションワイヤ
１０    ベース
１１    アクチュエータカバー
１３    磁石
２０    レンズホルダ
２１    対物レンズ
２２    対物レンズ
１０１    折り曲げ部
１０３    切り起こし部
１０４    受け入れ部
１０５    受け入れ部
１０６    係合突起
１０７    接着剤溜り
１０８    接着剤溜り
１０９    係合突起
１１１    フック部
１１２    フック部
１１３    係合孔
１１４    係合孔
１１６    窓孔
１１７    窓孔
１２０    接着剤溜り
１２２    接着剤溜り
【図１】
2010102763.tif 000003
【図２】
2010102763.tif 000004
【図３】
2010102763.tif 000005
【図４】
2010102763.tif 000006
【図５】
2010102763.tif 000007
【図６】
2010102763.tif 000008
【図７】
2010102763.tif 000009
【図８】
2010102763.tif 000010
【図９】
2010102763.tif 000011
【図１０】
2010102763.tif 000012
【図１１】
2010102763.tif 000013
【図１２】
2010102763.tif 000014
【図１３】
2010102763.tif 000015
【図１４】
2010102763.tif 000016
【図１５】
2010102763.tif 000017
【図１６】
2010102763.tif 000018